(57)【要約】少なくとも１つのソースから特定の時間において供給されるイベント信号と、ユーザによって選択的に入力されるプリセットデータを記録及び再生する方法において、プリセットデータは、オーディオ及び／又はビデオ信号を含む記録されるべきイベント信号と、イベント信号を記録する時間を設定し、オーディオ及びビデオ信号は、少なくともプリセットデータに依存して、少なくとも１つの記録媒体上に記録されるか又は少なくとも１つの記録媒体上から再生される方法であって、記録されるべきイベント信号のソース、時間、及び所要時間を選択するようプリセットデータを選択的に生成する段階と、プリセットデータを格納する段階と、特定の記録媒体の記録及び再生動作にそれぞれ関連する管理データを供給する段階を有し、方法は更に、少なくとも管理データを、少なくとも１つの記録媒体とは異なる記憶媒体に格納する段階を有することを特徴とする。【特許請求の範囲】
【請求項１】
少なくとも１つのソースから特定の時間において供給されるイベント信号と、ユーザによって選択的に入力されるプリセットデータを記録及び再生する方法において、
前記プリセットデータは、オーディオ及び／又はビデオ信号を含む記録されるべきイベント信号と、前記イベント信号を記録する時間を設定し、
前記オーディオ及びビデオ信号は、少なくとも前記プリセットデータに依存して、少なくとも１つの記録媒体上に記録されるか又は前記少なくとも１つの記録媒体上から再生される方法であって、
記録されるべきイベント信号のソース、時間、及び所要時間を選択するよう前記プリセットデータを選択的に生成する段階と、
前記プリセットデータを格納する段階と、
特定の記録媒体の記録及び再生動作にそれぞれ関連する管理データを供給する段階と、
を有し、前記方法は更に、
少なくとも前記管理データを、前記少なくとも１つの記録媒体とは異なる記憶媒体に格納する段階を有することを特徴とする方法。
【請求項２】
前記プリセットデータは、前記記憶媒体上に格納されることを特徴とする請求項１記載の方法。
【請求項３】
前記関連する管理データに基づいて、複数の記録媒体から特定の記録媒体が選択されることを特徴とする請求項１又は２記載の方法。
【請求項４】
少なくとも１つのソースから特定の時間において供給されるイベント信号と、ユーザによって選択的に入力されるプリセットデータを記録及び再生する方法において、
前記プリセットデータは、オーディオ及び／又はビデオ信号を含む記録されるべきイベント信号と、前記イベント信号を記録する時間を設定し、
前記オーディオ及びビデオ信号は、少なくとも前記プリセットデータに依存して、少なくとも１つの記録媒体上に記録されるか又は前記少なくとも１つの記録媒体上から再生される方法であって、
記録されるべきイベント信号のソース、時間、及び所要時間を選択するよう前記プリセットデータを選択的に生成する段階と、
前記プリセットデータを格納する段階と、
特定の記録媒体の記録及び再生動作にそれぞれ関連する管理データを供給する段階と、
前記特定の記録媒体上に、前記特定の記録媒体に関連する少なくとも前記管理データを格納する段階と、
を有し、前記方法は更に、
記録又は再生動作のためにアクセスされるべき複数の第１の記録媒体を供給する段階と、
前記記録媒体のそれぞれの前記関連する管理データを、一時記憶媒体にアップロードする段階と、
前記一時記憶媒体に格納された前記管理データに基づいて記録及び再生動作のために前記複数の第１の記録媒体のうちの１つを選択する段階と、
を有することを特徴とする方法。
【請求項５】
前記記録媒体は、データがデジタル形式で格納され得る媒体であることを特徴とする請求項１乃至４のうちいずれか一項記載の方法。
【請求項６】
前記記録媒体は、書換え可能なコンパクトディスク又はデジタルバーサタイルディスク（ＤＶＤ）であることを特徴とする請求項５記載の方法。
【請求項７】
少なくとも１つのソースから特定の時間において供給されるイベント信号と、ユーザによって選択的に入力されるプリセットデータを記録及び再生する装置において、
前記プリセットデータは、オーディオ及び／又はビデオ信号を含む記録されるべきイベント信号と、前記イベント信号を記録する時間を設定する、装置であって、
記録されるべきイベント信号のソース、時間、及び所要時間を選択するよう前記プリセットデータを選択的に生成するデータ入力手段と、
前記データ入力手段によって生成された前記プリセットデータを格納する前記データ入力手段に動作可能に結合される記憶手段と、
少なくとも前記プリセットデータに依存して少なくとも１つの記録媒体上の前記オーディオ及びビデオ信号を記録及び再生する手段と、
特定の記録媒体の記録及び再生動作にそれぞれ関連する管理データを供給する手段と、
を有し、前記装置は更に、
少なくとも前記管理データを格納する記憶手段を有し、
該記憶手段は、前記少なくとも１つの記録媒体とは異なることを特徴とする装置。
【請求項８】
前記プリセットデータは、前記記憶手段に格納されることを特徴とする請求項７記載の装置。
【請求項９】
前記関連する管理データに基づいて、複数の記録媒体から特定の記録媒体を選択する制御手段を有することを特徴とする請求項７又は８記載の装置。
【請求項１０】
少なくとも１つのソースから特定の時間において供給されるイベント信号と、ユーザによって選択的に入力されるプリセットデータを記録及び再生する装置において、
前記プリセットデータは、オーディオ及び／又はビデオ信号を含む記録されるべきイベント信号と、前記イベント信号を記録する時間を設定する、装置であって、
記録されるべきイベント信号のソース、時間、及び所要時間を選択するよう前記プリセットデータを選択的に生成するデータ入力手段と、
前記データ入力手段によって生成された前記プリセットデータを格納する前記データ入力手段に動作可能に結合される記憶手段と、
少なくとも前記プリセットデータに依存して少なくとも１つの記録媒体上の前記オーディオ及びビデオ信号を記録及び再生する手段と、
特定の記録媒体の記録及び再生動作にそれぞれ関連する管理データを供給する手段と、
を有し、
少なくとも前記管理データは、前記管理データに関連する前記特定の記録媒体上に格納され、
前記装置は更に、
記録又は再生動作のためにアクセスされるべき複数の第１の記録媒体を供給する手段と、
前記記録媒体のそれぞれの前記関連する管理データを、一時記憶媒体にアップロードする手段と、
前記一時記憶媒体に格納された前記管理データに基づいて記録及び再生動作のために前記複数の第１の記録媒体のうちの１つを選択する制御手段と、
を有することを特徴とする装置。
【請求項１１】
前記記録媒体は、データがデジタル形式で格納され得る媒体であることを特徴とする請求項７乃至１０のうちいずれか一項記載の装置。
【請求項１２】
前記記録媒体は、書換え可能なコンパクトディスク又はデジタルバーサタイルディスク（ＤＶＤ）であることを特徴とする請求項１１記載の装置。
【請求項１３】
前記記録媒体は、マルチディスクチェンジャ内に収容されることを特徴とする請求項７乃至１２のうちいずれか一項記載の装置。
【発明の詳細な説明】
【発明の詳細な説明】
【０００１】
本発明は、少なくとも１つのソースから特定の時間において供給されるイベント信号と、ユーザによって選択的に入力されるプリセットデータを記録及び再生する方法及び装置に関る。プリセットデータは、記録されるべきイベント信号とそのイベント信号を記録する時間を設定する。本発明の方法及び装置は、少なくとも１つの記録媒体と協働し、オーディオ及び／又はビデオ信号を含むイベント信号は、少なくともプリセットデータに依存して、その記録媒体上に記録されるか又はその記録媒体から再生される。最初に、プリセットデータは、記録されるべきイベント信号のソース、時間、及び所要時間を選択するよう選択的に生成され、次に、これらのプリセットデータは格納される。それぞれ特定の記録媒体の記録及び再生動作に関連する管理データが供給される。
【０００２】
このような方法及び装置は、ビデオテープレコーダ及びビデオテープに関連するＵＳ５，３７９，１５３に開示される。管理データは、ビデオテープ上に記録され、ビデオテープリコーダに入れられる特定のビデオカセットに関する管理情報を示す。例えば、管理データは、記録フォーマット変換に関する詳細を表すブロックとビデオテープの履歴を有するが、記録された又は記録される各イベントに関する詳細は表さない。
【０００３】
最近では、データをデジタル形式で格納し得る媒体が人気となってきている。特に、デジタルバーサタイルディスク（ＤＶＤ）は、ビデオ画像用の効果的な記録媒体であることが証明されている。第１世代のＤＶＤビデオレコーダは、多数のタイマ記録でプログラムすることが可能である。タイマが切れると、システムは、記録可能なディスクがあるか否かをチェックし、可能である場合には、プログラムされた記録を開始する。プログラムされたタイマは、１回の記録イベント用か、又は、毎日起きる記録イベント用である。毎日プログラムされる記録は、週の毎日に行われる。記録は、タイマが切れたときにレコーダ内に偶然あった任意のＤＶＤ上に行われる。現在のこの動作方法では問題が発生し得る。例えば、毎日プログラムされた記録は、偶然入っていた任意の記録可能なディスク上に無条件で実行される。このことは、１つのディスクにコンテンツの混合をもたらすであろう。更に、一回プログラムされる記録と毎日プログラムされる記録との間の中間のアプローチがない。一般的な使用例としては、ユーザは自分の好きな番組を見るためにほとんどの場合家にいるが、時々、遅くなることが予想されるときにその番組を記録したいと思うということである。この使用例に対処するために１回の記録をプログラムすることには、行わなければならない作業が多すぎる。
【０００４】
従って、上述したビデオテープ及びビデオテープレコーダ用のＵＳ５，３７９，１５３の概念は、特定の定期的にプログラムされたタイマを特定のディスクにリンク付けるためにディスクを用いるシステムに乗り換えるべきである。特定のディスクを挿入すると、このことは、特定のイベント用のタイマを有効にする又はデータを表示する。イベントは、日付、チャンネル、時間、ＶＰＳを用いた従来通りの方法、又は、ニュース、スタートラック等のメタデータを参照する任意の方法で指定することが可能である。従って、ディスクは、そのディスクが挿入されたときに特定の番組の記録をするようプログラムするトークンとして使用することができる。
【０００５】
ＵＳ５，３７９，１５３の概念では、管理情報は、ビデオテープ上に独占的に記録されるが、この概念は、ＤＶＤのようなディスクが好適である適用には拡張することができない。
【０００６】
従って、本発明は、将来の適用に対してより柔軟性があるよう上述した方法を変更することを目的とする。
【０００７】
この目的は、請求項１又は４に記載の方法か、又は、請求項７又は１１に記載の装置によって解決される。好適な実施例は、各従属項にその内容を示す。
【０００８】
本発明によると、管理データは、記憶媒体か、又は少なくとも１つの記録媒体とは異なる記憶手段に格納される。通常は、管理データは、レコーダのＮＶＲＡＭ（不揮発性ＲＡＭ）内に格納され、これは、現状において、ビデオレコーダ又は第１世代ＤＶＤレコーダについての場合である。プログラムされたタイマ又はＮＶＲＡＭ内の他のプリセットデータは、対応するディスクが挿入された場合にのみ作動される。作動されたプログラムされたタイマのみが記録を実行且つ開始する。ディスクが取出されると、全ての関連のプログラムされたタイマはキャンセルされる。
【０００９】
プリセットデータは、記憶媒体又は記憶手段に格納されることが好適である。
【００１０】
最も好適な実施例では、特定の記録媒体は、関連の管理データに基づいて複数の記録媒体から選択される。
【００１１】
この最も好適な実施例の概念は、管理データが記録媒体自体に格納される場合にも適用可能である。この場合、各記録媒体の関連の管理データは、好適にレコーダの一部又は更には記録媒体用のチェンジャ手段の一部である一時記憶媒体にアップロードされるべきであり、記録媒体のうちの１つが、その一時記憶媒体に格納された管理データに基づいて記録又は再生動作のために選択され得る。
【００１２】
本発明を、添付図面を参照しながら更に詳細に説明する。
【００１３】
図１は、本発明によるレコーダユニットＲの形の装置を示すブロック図である。データ入力ユニット１０が設けられ、これは、ユーザからの要求と共に供給されるイベント信号のソース、時間、及び所要時間を選択するプリセットデータを選択的に生成する。制御ユニット２０の制御下において、プリセットデータは、レコーダのＮＶＲＡＭであり得る記憶手段３０に格納される。特定のディスクが、レコーダ内に挿入されると、ディスクは識別され、ディスクに関連する管理データに基づいて、そのディスクに関連付けられるＮＶＲＡＭにおけるそれらのプリセットデータのみが作動される。作動されたプリセットデータのみが、記録を実行且つ開始する。
【００１４】
図２は、図１のブロック図の拡張であり、ここでは、所望の定期的な記録に関連する複数のディスクがマルチディスクチェンジャ５０に入れられる。記録可能なディスクのセット全体は、多数のイベント用の多数のプリセットデータを可能にする。プリセットデータが実行されるといつでも、システムは、対応するディスクに切り替え、記録を開始する。従って、例えば、同じタイプの記録が全て同じディスク上に集められる。
【００１５】
特定のイベントについての格納された情報は、どのように記録が行われなければならないのかを指定した追加オプションを用いて拡大することができる。関連のオプションは、ディスクの始め又は最後に記録された位置において記録を開始することや、又は、ディスクがいっぱいになったときにディスクの始めから再開する又は停止することであり得る。
【００１６】
上述の説明、特許請求の範囲、及び／又は図面に開示した特徴は、別個に及び組合わされて、本発明の多様な形態を実現するために重要である。
【図面の簡単な説明】
【００１７】
【図１】本発明の装置の主な構成要素を示すブロック図である。
【図２】本発明の装置の変形を示す図である。
【図１】
2005524193.tif 000002
【図２】
2005524193.tif 000003